(57)【要約】【課題】キッチンの調理台に組込まれるものにあって、操作パネルにおける操作性の向上を図る。【解決手段】キッチンの調理台２２の上面部に形成された嵌込部２２ｂに組込まれ内部に加熱装置２１の本体２３と、本体２３の上面に設けられ鍋等の被加熱体が載置されるトッププレート２６と、トッププレート２６の前辺部を保持し且つ前記調理台２２に支持する前辺フレーム４０とを備え、前辺フレーム４０に操作パネル３３を設けるとともに、トッププレート２６上に、左右に位置して電磁調理用の加熱調理部が設けられ、前記操作パネル３３にこれら加熱調理部に対応してそれぞれ操作キーを備えている。【選択図】　図１
2004031345.tif 000002
【特許請求の範囲】
【請求項１】
キッチンの調理台の上面部に形成された嵌込部に組込まれ内部に加熱装置を有する本体と、
この本体の上面に設けられ鍋等の被加熱体が載置されるトッププレートと、
このトッププレートの前辺部を保持し且つ前記調理台に支持する前辺フレームとを備え、
この前辺フレームに操作パネルを設けるとともに、トッププレート上に、左右に位置して電磁調理用の加熱調理部が設けられ、前記操作パネルにこれら加熱調理部に対応してそれぞれ操作キーを備えていることを特徴とする組込み式加熱調理装置。
【発明の詳細な説明】
【０００１】
【発明の属する技術分野】
本発明は、キッチンの調理台に組込まれる組込み式加熱調理装置に関する。
【０００２】
【発明が解決しようとする課題】
図１４は、この種の組込み式加熱調理器の従来例を示している。即ち、組込み式加熱調理器の本体１は、詳しく図示はしないが、上面が開口した矩形箱状をなす本体ケース内に、例えば左右部位に位置して誘導加熱コイルを備えると共に、中央後部側に位置してコイルヒータを備え、さらに、その上面に、耐熱ガラス製のトッププレート２を設けて構成されている。これにて、前記トッププレート２上に、左右に位置して電磁調理用の加熱調理部３，４が設けられると共に、中央後部に位置してヒータ調理用の加熱調理部５が設けられるようになっている。
【０００３】
この本体１は、キッチンの調理台６の上面部（カウンタートップ）に形成された矩形状に開口する嵌込部に、上方から嵌込まれるようにして組込まれるようになっている。このとき、前記トッププレート２は、その四辺部が金属製のフレーム７に保持されており、このフレーム７によって、前記本体ケースに取付けられると共に、調理台６に支持されるようになっている。また、前記トッププレート２の中央前端部分には、該トッププレート２が高温であることを、ランプの点灯により使用者に知らせる高温注意表示部８が設けられている。
【０００４】
一方、前記本体１の下部部分には、下部ユニット９が、調理台６の前面側から嵌込まれて組込まれるようになっている。この下部ユニット９は、左側に位置してロースター部１０を備えると共に、その右側にいわゆるカンガルーポケット式の操作パネル１１を備えて構成されている。この操作パネル１１には、前記加熱調理部３，４，５及びロースター部１０に関するオン・オフや火力調整を行うための操作キー１２及び火力表示部１３が設けられている。また、操作パネル１１の上側には、電源スイッチ１４及び電源ランプ１５が設けられている。
【０００５】
しかしながら、上記構成では、使用者が操作を行うための操作パネル１１が、調理台６の前面部のやや低い位置に設けられているため、操作性にやや劣るきらいがあった。特に、複数の調理部３，４，５に関するオン・オフ用の操作キー１２が１箇所にまとまった形態で設けられているため、調理部３，４，５と操作キー１２との対応が判りにくく、使用者が操作に戸惑う場合があった。
【０００６】
本発明は上記事情に鑑みてなされたもので、その目的は、キッチンの調理台に組込まれるものにあって、操作パネル部における操作性の向上を図ることができる組込み式加熱調理装置を提供するにある。
【０００７】
【課題を解決するための手段】
本発明の請求項１の組込み式加熱調理装置は、キッチンの調理台の上面部に形成された嵌込部に組込まれ内部に加熱装置を有する本体と、この本体の上面に設けられ鍋等の被加熱体が載置されるトッププレートと、このトッププレートの前辺部を保持し且つ前記調理台に支持する前辺フレームとを備え、この前辺フレームに操作パネルを設けるとともに、トッププレート上に、左右に位置して電磁調理用の加熱調理部が設けられ、前記操作パネルにこれら加熱調理部に対応してそれぞれ操作キーとを具備するところに特徴を有する。
【０００８】
これによれば、使用者は、操作パネルの操作性を向上させることができる。しかも、各加熱調理部と操作キーとの対応関係が一目で判り、間違った加熱調理部の操作キーを操作してしまうことを未然に防止できる。
【０００９】
【発明の実施の形態】
以下、本発明のいくつかの実施例について、図１ないし図１３を参照しながら説明する。
【００１０】
（１）第１の実施例
まず、図１ないし図６は、本発明の第１の実施例（請求項１，２，５，６，９に対応）を示している。
図３及び図４は、本実施例に係る組込み式加熱調理装置２１の外観を示している。ここで、キッチンの調理台２２は、箱状に構成され、その上面は、若干前方へ突出した形態のカウンタートップ２２ａ（図１等参照）とされている。また、この調理台２２には、カウンタートップ２２ａの上面にて矩形状に開口する嵌込部２２ｂ（図１等参照）が形成されている。本実施例に係る組込み式加熱調理装置２１は、本体２３と下部ユニット２４とを備え、前記調理台２２の嵌込部２２ｂに組込まれるようになっている。尚、前記嵌込部２２ｂの開口寸法は、幅が５６０ｍｍ、奥行きが４６０ｍｍの標準サイズとされている。
【００１１】
前記本体２３は、図５等にも示すように、上面が開口した矩形箱状をなす本体ケース２５内に、図示しない加熱装置を配設すると共に、その上面に、鍋Ａ（図６参照）等の被加熱体が載置される例えば耐熱ガラス製のトッププレート２６を設けて構成されている。この場合、本実施例では、前記加熱装置として、左右に位置して夫々誘導加熱コイル及びその駆動回路が設けられていると共に、中央後部に位置してコイルヒータが設けられており、もって、トッププレート２６上に、左右に誘導加熱調理部２７，２８が構成されていると共に、中央後部に加熱調理部２９が構成されている。
【００１２】
詳しくは後述するように、前記トッププレート２６は、金属（例えばアルミニウムやステンレス）製のフレームを介して、前記本体ケース２５に取付けられるようになっており、また、このフレームによって、本体２３が調理台２２（カウンタートップ２２ａ）の上面部に支持されるようになっている。このとき、図１等に示すように、前記嵌込部２２ｂの内周縁部には、金属製の取付枠３０が設けられるようになっており、前記フレームがこの取付枠３０を介して調理台２２（カウンタートップ２２ａ）にねじ止め固定されるようになっている。
【００１３】
また、前記トッププレート２６の後辺部の後側には、本体ケース２５内と連通する通気口３１（図５参照）が設けられており、図３，図４に示すように、その通気口３１の上面部にルーバー状の飾り板３２が配設されている。一方、トッププレート２６の前辺部の前側には、操作パネル部３３が設けられている。これらフレーム及び操作パネル部３３部分の構成については、後に詳述する。尚、前記トッププレート２６の中央前端部分には、該トッププレート２６が高温であることを、ランプの点灯により使用者に知らせるための高温注意表示部３４が設けられている。
【００１４】
一方、図４に示すように、前記下部ユニット２４は、本体２３の下部部分に位置して、調理台２２の前面側から嵌込まれて組込まれるようになっている。この下部ユニット２４は、左側に位置してロースター部３５を備えると共に、その右側に飾り板３６を備えて構成され、その飾り板３６の上部に電源スイッチ３７及び電源ランプ３８が設けられている。さらに、下部ユニット２４の前面の上部には、前記カウンタートップ２２ａの下面側に位置して図示しない前部通気口が設けられると共に、その前部通気口を覆うようにルーバー状の飾り板３９が設けられている。
【００１５】
さて、前記フレーム及び操作パネル部３３部分について詳述する。図５に示すように、前記フレームは、この場合、前記トッププレート２６の前後左右の四辺部を夫々保持する、前辺フレーム４０、後辺フレーム４１、左フレーム４２、右フレーム４３の４部品から構成されている。
【００１６】
このうち左フレーム４２，右フレーム４３は、夫々、トッププレート２６の左右の辺部を保持する断面コ字状の保持部４２ａ，４３ａと、その保持部４２ａ，４３ａから下方に延び前記本体ケース２５と連結される連結部４２ｂ，４３ｂとを一体的に有して構成されている。また、前記後辺フレーム４１は、トッププレート２６の後辺部を保持する断面コ字状の保持部４１ａと、その保持部４１ａから下方に延び前記本体ケース２５と連結される連結部４１ｂと、前記保持部４１ａから後方に延び前記通気口３１を有する後部延出部４１ｃとを一体的に有して構成されている。
【００１７】
前記前辺フレーム４０は、図２等に示すように、トッププレート２６の前辺部を保持する断面コ字状の保持部４４と、この保持部４４の下部から前方に略水平に延びる延出部４５と、その延出部４５の前後方向中間部から下方に延び前記本体ケース２５と連結される連結部４６とを一体的に有して構成されている。さらに、本実施例では、前辺フレーム４０の保持部４４の上面部には、上方に突出するリブ４７が一体的に形成されている。
【００１８】
そして、前記延出部４５は、前記連結部４６を挟んで本体ケース２５の内側に位置する後部側と、前記カウンタートップ２２ａの上面に取付枠３０を介して載置状に位置される前部側との間で若干の段差を有する形状をなしている。そのうち後部側には、図５にも示すように、複数個の横長な矩形状の開口部４８がほぼ全体に位置するように形成されていると共に、左右両端部に位置して図１にも示すようなねじ挿通穴４５ａが形成されている。また、前記延出部４５の前端部には、操作パネル部３３の前端部を係止するための係止部４５ｂが形成され、中間部上面には、係合片部４５ｃが形成されている。
【００１９】
また、前記保持部４４の前面側には、操作パネル部３３の後端部が嵌合する嵌合凹部４４ａが設けられている。さらには、前記連結部４６は、上半部と下半部との間で段差を有した形態とされ、その下半部が前記本体ケース２５の上端部内面側に嵌り込んだ形態にて連結されるようになっている。
【００２０】
これに対し、前記操作パネル部３３は、図３等に示すように、前記前辺フレーム４０の延出部４５全体を上面から覆うような横長な蓋状をなし、詳細には図２に示すように、耐熱樹脂製のパネル本体４９の上面に、各種印刷が施されたシート５０を、例えば両面テープを用いて貼着して構成されている。
【００２１】
また、図２等に示すように、操作パネル部３３（パネル本体４９）には、後端部に位置して、前記嵌合凹部４４ａに嵌合する嵌合凸部４９ａが一体に設けられ、前端部に前記延出部４５の前端下部に回り込むように位置して、前記係止部４５ｂに係止される被係止部４９ｂが一体に形成され、下面側中間部に位置して、前記係合片部４５ｃに係合される係合爪４９ｃが一体に形成されている。さらに、図１に示すように、操作パネル部３３（パネル本体４９）の下面部の左右両端部分には、前記延出部４５のねじ挿通穴４５ａに対応してねじ穴を有するボス部４９ｄが一体に形成されている。
【００２２】
これにて、操作パネル部３３は、前記嵌合凸部４９ａを嵌合凹部４５ａに嵌込み、被係止部４９ｂを係止部４５ｂに係止させ、係合爪４９ｃを係合片部４５ｃに係合させ、さらに、ボス部４９ｄに対して前記ねじ挿通穴４５ａを通して下方からねじ５１を締付けることにより、前辺フレーム４０の延出部４５に取付けられるようになっている。また、このとき、図２に示すように、前記嵌合凸部４９ａと嵌合凹部４５ａとの間には、例えばゴム製の防水部材５２が介在されるようになっている。
【００２３】
そして、このパネル本体４９の上面に貼着されるシート５０のうち、前記延出部４５の開口部４８に対応した位置には、図３及び図４に示すように、各種の操作キー５３及び火力表示部５４が横方向に直線上に並んで形成されるようになっている。具体的には、操作パネル部３３のうち右端部領域には、右側の誘導加熱調理部２８に対応して、右から順に、オン・オフ用，てんぷら調理用，火力調整用の各操作キー５３が設けられると共に、その左側に火力表示部５４が設けられている。
【００２４】
また、操作パネル部３３のうち中央やや右寄り領域には、右から順に、中央後部の加熱調理部２９のオン・オフ用及びロースター部３５のオン・オフ用並びに火力調整用の各操作キー５３が設けられると共に、その左側に火力表示部５４が設けられている。さらに、その左側領域には、左側の誘導加熱調理部２７に対応して、右から順に、オン・オフ用及び火力調整用の各操作キー５３が設けられると共に、その左側に火力表示部５４が設けられている。なお、操作パネル部３３の左端部には、タイマー設定用の操作キー５３及び時間表示部５５が設けられている。
【００２５】
このとき、図２に示すように、前記各操作キー５３の下面部分は、パネル本体４９が切欠かれて透孔４９ｅが形成され、この透孔４９ｅ及び前記開口部４８を貫通するようにして、押釦部材５６が下方に延びて配設されている。また、前記各火力表示部５４は、ＬＥＤ（図示せず）の光が透過される複数個の点灯部を横に並べたいわばインジケーター状に構成され、その点灯数で火力（加熱出力）の大きさを表示するようになっている。
【００２６】
一方、図１，図２等に示すように、前記延出部４５の下面側には、上面が開口した箱状をなすベース部５７が取付けられている。このベース部５７内には操作基板５８が嵌合固定されて設けられ、その操作基板５８には、前記各操作キー５３により押釦部材５６を介して操作される複数個のタクトスイッチ５９（図２参照）や、前記火力表示部５４の表示を行うための図示しないＬＥＤなどが配設されている。これにて、各操作キー５３と操作基板５８とは、前記開口部４８を通して接続された状態とされるのである。
【００２７】
尚、詳しい説明は省略するが、前記前辺フレーム４０は操作パネル部３３及びベース部５７が取付けられ、他のフレーム４１，４２，４３と相互に接続された状態でトッププレート２６に組付けられ、その後本体ケース２５に連結される。そして、このように構成された本体２３は、取付枠３０を取付けた調理台２２の嵌込部２２ｂに上方から嵌込まれ、例えば数箇所にてねじ止めされることにより、調理台２２に組込まれるようになっている。
【００２８】
次に、上記構成の作用について、図６も参照しながら述べる。使用者が、加熱調理を行うにあたっては、図６（ａ）に示すように、調理物を収容した鍋Ａを、トッププレート２６上の所望の加熱調理部２７，２８，２９に載置し、操作パネル部３３の該当する加熱調理部２７，２８，２９に対応したオン・オフ用の操作キー５３を押圧操作する。すると、該当する加熱調理部２７，２８，２９の加熱装置への通電が開始され、加熱調理が開始される。また、火力調整用の操作キー５３を操作することにより、所望の火力に調整することができ、このとき、火力表示部５４にその火力が表示されるようになる。
【００２９】
このとき、操作パネル部３３は、本体２３の上面部つまり調理台２２の上面部に位置して設けられているので、下部ユニット９の前面に位置して操作パネル１１を設けていた従来のものと異なり、操作パネル部３３の操作性を向上させることができる。しかも、このとき、操作パネル部３３における操作キー５３（及び火力表示部５４）の位置が、各加熱調理部２７，２８，２９に対応した形態で設けられているので、使用者は、各加熱調理部２７，２８，２９と操作キー５３との対応関係が一目で判り、間違った加熱調理部２７，２８，２９の操作キー５３を操作してしまうことを未然に防止することができる。
【００３０】
この場合、本体２３の上面開口部はトッププレート２６により塞がれる事情があったが、トッププレート２６の前辺を保持する前辺フレーム４０に、前方に延びる延出部４５を設け、この延出部４５上に操作パネル部３３を設けるという構成により、前辺フレーム４０によりトッププレート２６の支持強度を低下させるといったことなく、操作パネル部３３を本体２３の上面部に設けることが可能となったのである。また、本実施例では、操作パネル部３３上の操作キー５３及び火力表示部５４等を横一直線状に配置したので、操作パネル部３３ひいては延出部４５の奥行き方向の寸法を極力小さくでき、トッププレート２６の大きさを徒に小さくせずに済ませることができたのである。
【００３１】
尚、本実施例では、加熱調理を開始させるにあたって、オン・オフ用の操作キー５３を一定時間（例えば１秒程度）押し続けることによって初めて加熱装置がオンされるように構成されており、意図せずに僅かな時間だけ操作キー５３に触れた程度では、誤ってオンされることが防止されるようになっている。また、各操作キー５３の操作時には、「ピッ」というブザー音が出力され、使用者が聴覚を通じても操作を確認できるようになっている。
【００３２】
ところで、このように操作パネル部３３を調理台２２の上面部に位置して設けたものでは、鍋Ａをトッププレート２６上に載置する際に、その一部をトッププレート２６から前部にはみ出した形態で乗せようとしたり、あるいは、調理後に鍋Ａを取上げる際に鍋Ａを前側に引きずってしまうことがあると、鍋Ａが操作パネル部３３に乗っかってしまい、不要に操作キー５３が押されてしまったり、鍋Ａの熱が操作パネル部３３に悪影響を及ぼしたりする虞が考えられる。
【００３３】
ところが、本実施例では、前辺フレーム４０の保持部４４の上面部にトッププレート２６よりも上方に突出するリブ４７を設けたので、鍋Ａをトッププレート２６上に載置するにあたって、鍋Ａの一部がトッププレート２６の前側にはみ出た状態となることがあっても、図６（ｂ）に示すように、鍋Ａの一部がそのリブ４７上に乗上げてしまうだけで、操作パネル部３３上に乗っかるといったことはなくなる。また、調理後に鍋Ａを前側に引きずることがあっても、リブ４７がストッパとなってそれ以上前側に来ることがなくなり、もって鍋Ａが操作パネル部３３上に乗り上げることを未然に防止することができるものである。また、トッププレート２６上に、食品の煮汁等がこぼれても、リブ４７により、その煮汁等が操作パネル部３３上に流れてくることを防止することができる。
【００３４】
また、前記操作パネル部３３上には、水や調理に係る汁等がこぼれ落ちることがあるが、本実施例では、前辺フレーム４０と操作パネル部３３の後端部との間に防水部材５２を介在させたので、その水等が内部の操作基板５８部分に浸入することを防止できるのである。しかも、トッププレート２６の熱等によって前辺フレーム４０が高温となることがあっても、防水部材５２により一定の断熱を図ることができると共に、操作パネル部３３を耐熱樹脂製としたので、操作パネル部３３の温度が必要以上に高くなったり、熱変形したりすることを未然に防止できるのである。
【００３５】
さらには、前辺フレーム４０と操作パネル部３３との取付構造に関して各種の嵌合，係合構造を採用したので、操作パネル部３３の組付けが比較的簡単で、高い取付け強度を得ることができ、操作パネル部３３に作用する力を前辺フレーム４０で受けることができて丈夫となる。特に、前辺フレーム４０の延出部４５の前端部に、操作パネル部３３の前端部の被係止部４９ｂを係止する係止部４５ｂを設けたので、操作パネル部３３の前端部が上方に浮上がってしまうといったことを防止することができ、良好な外観を確保することができる。
【００３６】
このように本実施例によれば、本体２３の上面部ひいては調理台２２の上面部に操作パネル部３３を設けることが可能となると共に、各加熱調理部２７，２８，２９と操作キー５３との対応関係を判りやすくすることができるようになった。この結果、従来のものと異なり、操作パネル部３３における操作性の向上を図ることができるという優れた実用的効果を得ることができるのである。
【００３７】
（２）第２〜第８の実施例
次に、本発明の第２〜第８の実施例を、図７〜図１３を参照しながら説明する。尚、これら第２〜第８の実施例は、上記第１の実施例の変形例ともいうべきものであり、従って、上記第１の実施例と同一部分には同一符号を付して詳しい説明を省略し、以下異なる点についてのみ述べることとする。
【００３８】
図７は、本発明の第２の実施例（請求項３に対応）を示すものである。この実施例においては、前辺フレーム４０の保持部４４の上面部にリブ４７を設けることに代えて、耐熱樹脂製の操作パネル部３３の後辺部に、上方に突出するリブ６１を一体に設ける構成としている。
【００３９】
かかる構成においても、上記第１の実施例と同様に、鍋Ａが操作パネル部３３に乗上げることがなくなり、不要に操作キー５３が押されてしまったり、鍋Ａの熱が操作パネル部３３に悪影響を及ぼしたりすることを防止することができるものである。
【００４０】
図８は、本発明の第３の実施例（請求項４に対応）を示すものである。この実施例においては、操作パネル部６２を、前方に向かって若干量（例えば角度３度程度）下降傾斜する形態に設けるようにしている。また、これに伴い、前辺フレーム４０の保持部４４の上部に設けられるリブ４７を省略し、前辺フレーム４０の構成を簡単化している。
【００４１】
この構成によれば、鍋Ａの一部が、トッププレート２６からはみ出すようなことがあっても、鍋Ａの底部と操作パネル部６２の上面との間に隙間ができ、鍋Ａが操作パネル部６２に乗ってしまうことを未然に防止することができる。この場合、操作パネル部６２を下降傾斜する形態に設けても、操作性が悪化することはなく、むしろ操作パネル部６２の視認性を良好とすることができ、十分な操作性を確保することができる。
【００４２】
図９は、本発明の第４の実施例（請求項７に対応）を示している。この実施例では、操作パネル部６３とベース部６４とを、延出部４５の開口部４８を介して相互に固定するように構成している。即ち、操作パネル部６３の裏面側には、前記開口部４８を通して操作基板５８の上面まで延び、ねじ穴を有するボス部６５が一体に形成されており、これと共に、ベース部６４の底部に上方に凸となるように設けられ操作基板５８が載置状とされる凹部６４ａに、ねじ挿通穴を形成し、さらに操作基板５８にもねじ挿通穴を形成するようにしている。そして、前記ベース部６４の凹部６４ａのねじ挿通穴及び操作基板５８のねじ挿通穴を通して、ねじ６６を下方から前記ボス部６５のねじ穴に締付けるようにしている。
【００４３】
これによれば、操作パネル部６３とベース部６４とを、それらの間の高さ方向の距離を常に一定とした形態に取付けることができ、各種操作キー５３（押釦部材５６）と操作基板５８上のタクトスイッチ５９との間、及び、火力表示部５４と操作基板５８上のＬＥＤとの間の適切な距離を出しやすくなって、位置合せを容易とすることができる。また、前辺フレーム４０（延出部４５）に対して、操作パネル部６３とベース部６４とを別々に組付ける場合に比べて、組立作業性も向上する。
【００４４】
図１０は、本発明の第５の実施例（請求項８に対応）を示している。この実施例においては、トッププレート２６の高温注意表示部３４の発光源となる表示装置６７を本体ケース２５内に設けたものにあって、その表示装置６７をベース部６８に支持させるようにしている。即ち、表示装置６７は、ＬＥＤ（あるいはランプ）６９を実装した基板７０を取付台７１に取付けて構成されるのであるが、その取付台７１を、前記ベース部６８に一体的に設けるようにしている。
【００４５】
この場合、従来では、本体ケース２５の底部から支柱を立ててその上端部に、高温注意表示部３４専用の取付台７１を支持する構成とされていたが、本実施例によれば、そのような従来構成と異なって、表示装置６７の取付構造をより簡単とすることができる。
【００４６】
図１１は、本発明の第６の実施例（請求項１０に対応）を示すものである。この実施例では、本体ケース２５内に、誘導加熱装置冷却用のファン装置７２が設けられているものにあって、そのファン装置７２により生成される冷却風の一部が、ベース部７３内を通って操作パネル部３３の前端部から排出されるように構成している。
【００４７】
即ち、本体ケース２５内には、誘導加熱装置の駆動回路を構成する回路基板７４が配設され、その回路基板７４上には、ＩＧＢＴ等の発熱部品に熱的に接続された放熱板７５が設けられている。前記ファン装置７２は、前記放熱板７５の後部側に位置して前方に向けて送風を行うように設けられている。また、前記ベース部７３には、後側の壁部に位置して、複数個の通気孔７３ａが設けられている。さらに、前辺フレーム４０（延出部４５）の前端部と操作パネル部３３の前端部下面との間、及び、操作パネル部３３の前端部とカウンタートップ２２ａの上面との間には、通気用の隙間が形成されている。
【００４８】
これにて、ファン装置７２が駆動されると、図で矢印Ｂにて示すように、冷却風が放熱板７５部分に供給されて発熱部品等の冷却が行われると共に、その冷却風の一部が通気孔７３ａからベース部７３内に導入され、操作基板５８上の部品等の冷却に供された後、操作パネル部３３の前端の通気用の隙間からスムーズに排出されるようになる。従って、ファン装置７２により操作基板５８上の部品等の冷却をも併せて図ることができるものである。
【００４９】
図１２は、本発明の第７の実施例（請求項１０に対応）を示すものである。この実施例においても、上記第６の実施例と同様に、ファン装置７６により生成される冷却風の一部が、ベース部７３内を通って操作パネル部３３の前端部から排出されるように構成している。この場合、前記ファン装置７６は、ファンモータ７７とそのファンモータ７７の回転軸に取付けられたシロッコファン７８とから構成されている。
【００５０】
このとき、本体ケース２５の後部には、上端部が通気口３１に連通し本体ケース２５の背面側から底部側に沿って延びてその本体ケース２５と連通する吸込ダクト７９が形成され、その吸込ダクト７９内に、前記ファンモータ７７が配設されている。そして、前記本体ケース２５内の後端部には、ファンケーシング８０内に位置して前記シロッコファン７８が配設されている。さらに、本体ケース２５の底部側には前記ファンケーシング８０の吐出口から前方へ延びて冷却ダクト８１が設けられ、その冷却ダクト８１内に放熱板７５を有する回路基板７４が設けられている。
【００５１】
これにて、ファン装置７６が駆動されると、図で矢印Ｃにて示すように、冷却風が冷却ダクト８１内に供給されて放熱板７５を通って発熱部品等の冷却が行われ、冷却ダクト８１から排出された冷却風の一部が通気孔７３ａからベース部７３内に導入され、操作基板５８上の部品等の冷却に供された後、操作パネル部３３の前端の通気用の隙間からスムーズに排出されるようになる。従って、この実施例によっても、ファン装置７６により操作基板５８上の部品等の冷却をも併せて図ることができるものである。
【００５２】
最後に、図１３は、本発明の第８の実施例を示すものである。この実施例では、操作パネル部８２の後端部の前辺フレーム８３に対する嵌合構造が上記第１の実施例と異なっており、前辺フレーム８３の保持部４４の前面側には、嵌合凸部８３ａが一体に設けられる一方、操作パネル部８２の後端部には、前記嵌合凸部８３ａに嵌合される断面コ字状の嵌合凹部８２ａが一体に設けられている。また、このとき、前記嵌合凸部８３ａと嵌合凹部８２ａとの間には、例えばゴム製の防水部材８４が介在されるようになっている。
【００５３】
かかる構成によっても、上記第１の実施例と同様に、操作パネル部８２の前辺フレーム８３に対する組付けが比較的簡単で、高い取付強度を得ることができ、これと共に、防水部材８４により、水や煮汁等が内部の操作基板５８部分に浸入することを防止でき、さらには、操作パネル部８２に対する熱伝導を小さく抑えることができるものである。
【００５４】
尚、本発明は上記し図面に示した各実施例に限定されるものではなく、例えば加熱装置としては、誘導加熱コイルやコイルヒータに限らず、ハロゲンランプヒータ等を採用しても良く、また、例えばリブ４７あるいは６１を設けつつも操作パネル部を傾斜状に構成しても良く、さらには、操作パネル部の各種操作キーや表示部の構成も種々の変形例が考えられるなど、要旨を逸脱しない範囲内で適宜変更して実施し得るものである。
【００５５】
【発明の効果】
以上の説明にて明らかなように、本発明の組込み式加熱調理装置によれば、キッチンの調理台に組込まれるものにあって、トッププレートの前辺部を保持する前辺フレームに開口部を有する延出部を前方に延びるように設け、その延出部の上面側に操作パネル部、下面側にベース部を設ける構成としたので、操作パネル部を本体の上面つまり調理台の上面部に位置して設けることが可能となり、操作パネル部における操作性の向上を図ることができるという優れた効果を奏するものである。
【図面の簡単な説明】
【図１】本発明の第１の実施例を示すもので、要部の縦断側面図
【図２】前辺フレーム部分の拡大縦断側面図
【図３】加熱調理装置の本体の平面図
【図４】加熱調理装置の本体を調理台に組込んだ様子を遠近法を用いて示す図
【図５】本体の分解斜視図
【図６】リブの作用を説明するための縦断側面図
【図７】本発明の第２の実施例を示す図１相当図
【図８】本発明の第３の実施例を示す図２相当図
【図９】本発明の第４の実施例を示す図１相当図
【図１０】本発明の第５の実施例を示す図１相当図
【図１１】本発明の第６の実施例を示す要部の縦断側面図
【図１２】本発明の第７の実施例を示す本体の縦断側面図
【図１３】本発明の第８の実施例を示す図２相当図
【図１４】従来例を示す図４相当図
【符号の説明】
図面中、２１は組込み式加熱調理器、２２は調理台、２２ｂは嵌込部、２３は本体、２５は本体ケース、２６はトッププレート、２７，２８，２９は加熱調理部、３０は取付枠、３３，６２，６３，８２は操作パネル部、３４は高温注意表示部、４０，８３は前辺フレーム、４４は保持部、４５は延出部、４５ｂは係止部、４７，６１はリブ、４８は開口部、５２，８４は防水部材、５３は操作キー、５４は火力表示部、５７，６４，６８，７３はベース部、５８は操作基板、６７は表示装置、７２，７６はファン装置、Ａは鍋（被加熱体）を示す。
【図１】
2004031345.tif 000003
【図２】
2004031345.tif 000004
【図３】
2004031345.tif 000005
【図４】
2004031345.tif 000006
【図５】
2004031345.tif 000007
【図６】
2004031345.tif 000008
【図７】
2004031345.tif 000009
【図８】
2004031345.tif 000010
【図９】
2004031345.tif 000011
【図１０】
2004031345.tif 000012
【図１１】
2004031345.tif 000013
【図１２】
2004031345.tif 000014
【図１３】
2004031345.tif 000015
【図１４】
2004031345.tif 000016